(57)【特許請求の範囲】
【請求項１】
冷却貯蔵庫本体の天壁に形成されている点検用開口と、
この点検用開口を上側から閉塞している断熱蓋本体、および、この断熱蓋本体から下方に膨出して点検用開口に嵌まり込む膨出部を具備して、庫内の冷気が点検用開口から庫外へ漏れることを防止する断熱蓋と、
前記断熱蓋本体の下面周縁部または冷却貯蔵庫本体の天壁上面に設けられている断熱蓋本体用パッキンと、
前記点検用開口の端面または、膨出部の側面の少なくとも一方に取り付けられたヒレ状の膨出部用パッキンとを備え、
前記断熱蓋の上面には、調整用重りが着脱可能に設けられ、
この断熱蓋は、断熱蓋本体の周縁部が断熱蓋本体用パッキンを介して冷却貯蔵庫本体に載置され、取り外し自在で全周にわたって上方への移動が拘束されていないとともに、前記断熱蓋の膨出部で位置ズレを防止し、
庫内圧力が上昇すると、点検用開口を閉塞している断熱蓋が浮上するとともに、浮上後降下した際に、断熱蓋は点検用開口を閉塞することを特徴とする冷却貯蔵庫。
【請求項２】
前記調整用重りが、断熱蓋の上面の四隅に着脱可能に設けられていることを特徴とする請求項１記載の冷却貯蔵庫。
【発明の詳細な説明】
【０００１】
【発明の属する技術分野】
本発明は、天壁に点検用開口が形成されている冷却貯蔵庫に関する。
【０００２】
【従来の技術】
従来の冷却貯蔵庫を図５および図６を用いて説明する。図５は従来の冷却貯蔵庫の斜視図である。図６は点検用開口付近の断面図である。冷却貯蔵庫である断熱プレハブ冷蔵庫は、天壁上の配管・配線などをメンテナンスするために、その天壁０１に点検用開口０２が形成され、この点検用開口０２を断熱小扉０３が開閉自在に閉塞している。この断熱小扉０３は、一端部が冷蔵庫本体０４にヒンジ０６で回動可能に取り付けられ、他端部にはラッチ０７が設けられている。このラッチ０７で断熱小扉０３は確実に閉塞状態を維持することができる。
【０００３】
【発明が解決しようとする課題】
ところで、冷却貯蔵庫は、庫内冷却器の霜取り時や、前面扉０８の開閉時などに、一時的に庫内温度が上昇し、これに伴って、庫内圧力が上昇することがある。そして、この庫内圧力が所定の値（以下、「パネル破壊圧」と呼ぶ）を越えると、冷蔵庫本体０４を構成する断熱パネル０９が破壊する。そこで、断熱パネル０９の破壊を防止するために、図示しないリリーフ弁が設けられており、庫内圧力が設定圧力よりも高くなると、リリーフ弁が作動して、庫内空気を庫外に放出し、庫内圧力をパネル破壊圧よりも低くしている。
【０００４】
この様に、従来はリリーフ弁が設けられており、リリーフ弁の費用や、取付作業が必要である。また、リリーフ弁の設置後は、リリーフ弁の設定圧力を、調整することはできない。さらに、リリーフ弁は、単位時間当たりの空気放出量が比較的小さいので、冷却貯蔵庫の庫内容積や、冷凍能力に応じて、リリーフ弁を多数取り付けなければならないことがある。
【０００５】
また、断熱小扉０３は冷蔵庫本体０４に対して回動するので、冷蔵庫本体０４の天壁０１の上方に、断熱小扉０３の回動を許容する比較的高い空間が必要となる。しかも、断熱小扉０３はヒンジ０６で冷蔵庫本体０４に取り付けられているため、断熱小扉０３を簡単に取り外すことができず、断熱小扉０３のパッキン０１２の交換作業などが難しくなる。
【０００６】
本発明は、以上のような課題を解決するためのもので、リリーフ弁が不要な冷却貯蔵庫を提供することを目的とする。
【０００７】
【課題を解決するための手段】
本発明の冷却貯蔵庫は、冷却貯蔵庫本体（１）の天壁に形成されている点検用開口（１１）と、この点検用開口を上側から閉塞している断熱蓋本体（１７）および、この断熱蓋本体から下方に膨出して点検用開口に嵌まり込む膨出部（１８）を具備して庫内の冷気が点検用開口から庫外へ漏れることを防止する断熱蓋（１６）と、断熱蓋本体の下面周縁部または冷却貯蔵庫本体の天壁上面に設けられている断熱蓋本体用パッキン（２２）と、前記点検用開口の端面または、膨出部の側面の少なくとも一方に取り付けられたヒレ状の膨出部用パッキン（２３）とを備えている。前記断熱蓋の上面には、調整用重り（３２）が着脱可能に設けられている。この断熱蓋は、断熱蓋本体の周縁部が断熱蓋本体用パッキンを介して冷却貯蔵庫本体に載置され、取り外し自在で全周にわたって上方への移動が拘束されていないとともに、前記断熱蓋の膨出部で位置ズレを防止している。
【０００８】
そして、庫内圧力が上昇すると、点検用開口を閉塞している断熱蓋が浮上するとともに、浮上後降下した際に、断熱蓋は点検用開口を閉塞する。
【０００９】
また、調整用重りが、断熱蓋の上面の四隅に着脱可能に設けられている場合がある。
【００１０】
【００１１】
【発明の実施の形態】
次に、本発明における冷却貯蔵庫の実施の一形態を図１ないし図４を用いて説明する。図１は冷却貯蔵庫の斜視図である。図２は点検用開口付近の断面図である。図３は断熱蓋およびパッキンの説明図で、（ａ）が浮上した状態の断熱蓋の図、（ｂ）が断熱蓋本体用パッキンの拡大断面図、（ｃ）が膨出部用パッキンの拡大断面図である。図４は調整用重りが取り付けられている状態の断熱蓋の説明図で、（ａ）が正面図、（ｂ）が平面図である。
【００１２】
冷却貯蔵庫である断熱プレハブ冷蔵庫の貯蔵庫本体１は、断熱パネル２を複数連結することにより構成され、この断熱パネル２には、プレハブ冷却貯蔵庫の側壁を構成する側板パネル３と、天壁を構成する天井パネル４と、床板を構成する床板パネル６とがある。また、プレハブ冷却貯蔵庫の前面には前面断熱扉７が開閉自在に取り付けられている。
【００１３】
また、天井パネル４には、点検用開口１１が貫通して形成され、この点検用開口１１を断熱蓋１６が開閉自在に閉塞している。この断熱蓋１６は、略矩形の断熱蓋本体１７と、この断熱蓋本体１７から下方に膨出している膨出部１８とからなり、この断熱蓋本体１７の下面周縁部には、略全周に沿って、空洞２１が内部に形成されている断熱蓋本体用パッキン２２が取り付けられている。そして、膨出部１８が点検用開口１１に嵌まり込み、断熱蓋本体１７はその周縁部が断熱蓋本体用パッキン２２を介して天井パネル４上に載置されている。したがって、断熱蓋１６は、取り外し自在で全周にわたって上方への移動が拘束されていない。また、点検用開口１１の端面、すなわち、膨出部１８に対向する面には、可撓性を有するヒレ状の膨出部用パッキン２３が上下方向に４枚取り付けられている。そして、断熱蓋１６が閉じている際には、この膨出部用パッキン２３の先端は、膨出部１８の側面に当接している。また、貯蔵庫本体１の内部すなわち庫内は、図示しない冷却器で冷却されている。この庫内の冷気が点検用開口１１から庫外へ漏れることや、庫外の熱が点検用開口１１から庫内へ侵入することは、断熱蓋本体用パッキン２２および膨出部用パッキン２３で防止されている。
【００１４】
そして、天井パネル４上の配管・配線などをメンテナンスする際には、断熱蓋１６を持ち上げてスライドさせ、点検用開口１１を開放し、この点検用開口１１から天井パネル４上に作業員が出て、点検などを行う。
【００１５】
ところで、断熱プレハブ冷蔵庫は、冷却器の霜取り時や、前面断熱扉７の開閉時などに、一時的に庫内温度が上昇し、これに伴って、庫内圧力が上昇することがあるが、この庫内圧力が一定値（以下、「断熱蓋浮上圧力」と呼ぶ）以上に上昇すると、図３（ａ）に図示するように、断熱蓋１６は、全周のうちのいずれかの部分が浮上する。この断熱蓋１６の浮上により、庫内の冷気が、点検用開口１１を通って庫外へ流出し、庫内圧力が断熱蓋浮上圧力よりも低下する。すると、断熱蓋１６は降下して、図２に図示する閉状態に戻り、再び点検用開口１１を閉塞する。この断熱蓋１６の浮上による空気の流出は、リリーフ弁による空気の流出よりも比較的多量であるので、リリーフ弁の様に多数設ける必要は少ない。
【００１６】
ところで、断熱蓋浮上圧力は、冷却貯蔵庫の容量や設定温度などにより、変更することが好ましい。たとえば、冷却貯蔵庫の容量が小さい場合や、設定温度が低い場合には、断熱蓋浮上圧力を高く設定することがある。そこで、図４に図示する様に、断熱蓋１６の上面の四隅に、取付部材であるネジ棒３１を立設し、このネジ棒３１に板状の調整用重り３２を嵌め込み、ナット３３で固定している。そして、断熱蓋浮上圧力を高くする場合には、調整用重り３２を増やし、一方、断熱蓋浮上圧力を低くする場合には、調整用重り３２を減らしている。この様に、調整用重り３２を着脱して、断熱蓋浮上圧力を調整している。
【００１７】
前述の様に実施の形態においては、断熱蓋１６を持ち上げて、貯蔵庫本体１の点検用開口１１から取り外し、天壁すなわち天井パネル４上の配線や配管のメンテナンスを行うことができる。その際に、断熱蓋１６は持ち上げられてから、横にスライドさせることができるので、天壁上の空間の高さは比較的低くても、点検用開口１１の開閉に支障はない。
【００１８】
また、断熱蓋１６はヒンジやラッチなどで貯蔵庫本体１に取り付けられておらず、取り外し自在であるので、断熱蓋本体用パッキン２２の交換を容易に行うことができる。かつ、部品コストを削減することができるとともに、断熱蓋１６の設置作業も容易となる。
【００１９】
そして、庫内圧力が断熱蓋浮上圧力よりも上昇した際には、断熱蓋１６が浮上して、庫内の空気が庫外に流出する。この断熱蓋浮上圧力は、貯蔵庫本体破壊圧であるパネル破壊圧よりも低く設定されているので、庫内圧力がパネル破壊圧よりも高くなることを防止することができる。したがって、従来設けられていたリリーフ弁が不要となる。
【００２０】
しかも、断熱蓋１６に調整用重り３２が着脱自在に設けられているので、断熱蓋浮上圧力を調整することができる。したがって、冷却貯蔵庫の容量や冷却能力に応じて、断熱蓋１６が浮上する際の庫内圧力である断熱蓋浮上圧力を最適な値に設定することができる。特に、調整用重り３２は、断熱蓋１６の四隅に設置可能であるので、調整用重り３２の設置場所を変更することにより、断熱蓋本体用パッキン２２に略均一に力が加わる様に調整することができる。
【００２１】
また、断熱蓋１６には、点検用開口１１に嵌まり込む膨出部１８が設けられているので、断熱蓋１６が浮上した際に、断熱蓋１６の位置が大きくズレることがなく、浮上後降下した際に、断熱蓋１６は確実に点検用開口１１を閉塞することができる。
【００２２】
さらに、断熱蓋本体用パッキン２２および膨出部用パッキン２３の両パッキンが設けられており、パッキンが一個のみの場合と比して、より確実に庫内の冷気の漏れを防止することができる。また、断熱蓋本体用パッキン２２は、内部に空洞２１が形成されているパッキンであるので、ヒレ状のパッキンと比して耐圧性が有り、断熱蓋１６の重量に耐えることができる。一方、膨出部用パッキン２３は、ヒレ状をしているので、内部に空洞が形成されているパッキンと比して、断熱蓋１６が閉位置に戻る際に、断熱蓋１６の降下を妨げることが少ない。したがって、庫内圧力が低下した後には、断熱蓋１６は膨出部用パッキン２３に妨げられずに降下して、点検用開口１１を確実に閉塞することができる。
【００２３】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）断熱蓋本体用パッキン２２は、内部に必ずしも空洞２１が形成されている必要はない。
【００２４】
（２）実施の形態においては、冷却貯蔵庫は断熱プレハブ冷蔵庫であるが、他の形式の冷却貯蔵庫でも可能である。たとえば、断熱プレハブ冷凍庫などでも可能である。
【００２５】
（３）実施の形態においては、膨出部用パッキン２３は、点検用開口１１の端面に設けられているが、膨出部１８の側面に設けることも可能である。また、点検用開口１１の端面および膨出部１８の側面の両者に設けることも可能である。また、ヒレの枚数も適宜変更可能である。
（４）実施の形態においては、点検用開口１１は貯蔵庫本体１の天壁に一個設けられているが、点検用開口１１を複数、貯蔵庫本体１の天壁に設けることも可能である。
【００２６】
（５）実施の形態においては、断熱蓋本体用パッキン２２は、断熱蓋本体１７の周縁部に設けられているが、貯蔵庫本体１の天壁における断熱蓋本体１７の周縁部に対向する面に設けることも可能である。ただし、断熱蓋本体１７の周縁部に設けている場合には、断熱蓋１６を取り外し、貯蔵庫本体１の天壁上以外の所で、断熱蓋本体用パッキン２２の交換を行うことができるので、断熱蓋本体用パッキン２２の交換作業が容易となる。
（６）実施の形態においては、調整用重り３２は板状であるが、その形状、材質や配置などは適宜選択可能である。
【００２７】
【発明の効果】
本発明によれば、冷却貯蔵庫本体の天壁の点検用開口は、断熱蓋本体用パッキンを介して断熱蓋で閉塞されており、庫外からの熱の侵入を極力防止している。この断熱蓋は取り外し自在で全周にわたって上方への移動が拘束されていないので、庫内圧力が上昇すると、断熱蓋の全周のうちいずれかの部分が浮上し、庫内の空気が庫外へ流出する。したがって、庫内圧力が貯蔵庫本体破壊圧に達することを防止することができる。その結果、従来設けられていたリリーフ弁が不要となる。また、断熱蓋の膨出部が点検用開口に嵌まり込んでいるので、断熱蓋の浮上時に、断熱蓋が点検用開口から外れることを阻止することができる。その結果、断熱蓋は、降下時に再び点検用開口を閉塞することができる。しかも、断熱蓋を少し持ち上げてからスライドさせることにより、点検用開口を開けることができるので、冷却貯蔵庫本体の上側の空間の高さが低い場合にも、断熱蓋を開閉することができる。その結果、冷却貯蔵庫本体の上側の空間にあまり制約されずに、冷却貯蔵庫の設置場所を決定することができる。さらに、断熱蓋が取り外し自在であるので、断熱蓋本体用パッキンの交換作業などが容易となる。
【００２８】
また、点検用開口の端面または膨出部の側面の少なくとも一方に、ヒレ状の膨出部用パッキンが取り付けられているので、パッキンが二段に設けられており、庫外からの熱の侵入をより一層効率的に阻止することができる。この様に、二段のパッキンが設けられているにも係わらず、膨出部用パッキンがヒレ状であるので、膨出部用パッキンが断熱蓋の降下を妨げることは少ない。したがって、断熱蓋は、浮上後に、再び降下して、点検用開口を確実に閉塞することができる。
【００２９】
さらに、着脱可能な調整用重りが断熱蓋に設けられているので、調整用重りを着脱することにより、断熱蓋浮上圧力を調整することができる。その結果、冷却貯蔵庫の容量や、冷凍能力に応じて、断熱蓋浮上圧力を最適な値とすることができる。
【００３０】
そして、調整用重りが、断熱蓋の上面の四隅に着脱可能に設けられているので、調整用重りを変更することにより、断熱蓋本体用パッキンに略均一に力が加わる様に調整することができる。
【図面の簡単な説明】
【図１】  図１は冷却貯蔵庫の斜視図である。
【図２】  図２は点検用開口付近の断面図である。
【図３】  図３は断熱蓋およびパッキンの説明図で、（ａ）が浮上した状態の断熱蓋の図、（ｂ）が断熱蓋本体用パッキンの拡大断面図、（ｃ）が膨出部用パッキンの拡大断面図である。
【図４】  図４は調整用重りが取り付けられている状態の断熱蓋の説明図で、（ａ）が正面図、（ｂ）が平面図である。
【図５】  図５は従来の冷却貯蔵庫の斜視図である。
【図６】  図６は点検用開口付近の断面図である。
【符号の説明】
１  貯蔵庫本体
１１  点検用開口
１６  断熱蓋
１７  断熱蓋本体
１８  膨出部
２２  断熱蓋本体用パッキン
２３  膨出部用パッキン
３２  調整用重り
【図１】
0003831515.tif 000002
【図２】
0003831515.tif 000003
【図３】
0003831515.tif 000004
【図４】
0003831515.tif 000005
【図５】
0003831515.tif 000006
【図６】
0003831515.tif 000007